(57)【要約】【課題】  運搬・移動の利便性を確保しつつ設置場所での転倒防止乃至抑制等の安定性、安全性をも確保し、これらの両立を図れるようにする。【解決手段】    ポスター等の設置の用に供し得るパネル部１０と、パネル部１０を支持する左右一対の支持体３１Ｌ，３１Ｒと、支持体を下部において支持する支持基体３５とを有するフレーム部３０とを備える掲示装置１０１であって、支持体３１Ｌ，３１Ｒは、支持基体３５の一方の側からそれぞれ傾斜しつつ立ち上がるよう構成し、支持体間にパネル部１０を取り付けると共に、支持基体３５には複数の回転可能なキャスター５１を設け、かつ、支持体３１Ｌ，３１Ｒの先端が傾斜している側に配するキャスター５１ＲＲ，５１ＲＬは、回転止め状態に切換可能なストッパー５２を有し、当該キャスター５１ＲＲ，５１ＲＬは、運搬・移動時を除く使用状態もしくは設置状態において回転止め状態とされる。【選択図】図１
2006018122.tif 000002
【特許請求の範囲】
【請求項１】
ポスター等の被取付物の設置の用に供し得るパネル部と、
該パネル部を支持する左右一対の支持体とこれらの支持体を下部において支持する支持基体とを有するフレーム部とを備える掲示装置であって、
前記支持体は、前記支持基体の一方の側からそれぞれ傾斜しつつ立ち上がるよう構成し、これらの傾斜した前記支持体間に前記パネル部を取り付けると共に、前記支持基体には複数の回転可能なキャスターを設け、かつ、前記支持体の先端が傾斜している側に配するキャスターは、回転止め状態に切換え可能なストッパーを有しており、
前記ストッパーを有するキャスターは、前記掲示装置の運搬・移動時を除く使用状態もしくは設置状態において、回転止め状態とされることを特徴とする掲示装置。
【請求項２】
前記フレーム部は、前記支持体と前記支持基体とが一体構造であることを特徴とする請求項１に記載の掲示装置。
【請求項３】
前記フレーム部は、一本の管材で構成されていることを特徴とする請求項１または請求項２に記載の掲示装置。
【請求項４】
前記フレーム部は、左右一対の前記支持基体のそれぞれにおいて、前記パネル部のパネル面に対して突出する形状の突出部を形成することにより、前記支持体の立ち上がり部分を前記支持基体の中央寄りになるよう設定してなることを特徴とする請求項１乃至請求項３のいずれかに記載の掲示装置。
【請求項５】
左右一対の前記突出部は、前記支持体に関して、それぞれ左右方向に張り出すよう構成されることを特徴とする請求項４に記載の掲示装置。
【請求項６】
前記支持基体は、凸部等の屈曲部が形成されていることを特徴とする請求項１乃至請求項５のいずれかに記載の掲示装置。
【請求項７】
前記パネル部は、マグネットが吸着可能になるよう構成すると共に、少なくとも一部に、貫通孔を多数穿設した孔開け部を設けたことを特徴とする請求項１乃至請求項６のいずれかに記載の掲示装置。
【発明の詳細な説明】
【技術分野】
【０００１】
本発明は、ポスター等の掲示装置に関するものである。
【背景技術】
【０００２】
ポスターなどの掲示物を掲示等することのできる看板、ボード、展示器、広告用具等の器具は、これをコミュニケーションツールとして、あるいは販促用のツールとして用いることができる。例えば、各種店舗の店内乃至店頭で、また各種のホールやイベント・会議会場など、種々の施設・場所において、設置することができる。
【０００３】
この種の器具として、前後に開脚する複数本の脚部支柱を有する機構（スタンド）による技術（例えば特許文献１）を利用するものは既知であり、この場合、前方側に開脚する左右の前支柱と後方側に開脚する左右の後支柱を有する４点支持形態とするのが常套である。
【０００４】
【特許文献１】特開２００１−８７０６７号公報
【発明の開示】
【発明が解決しようとする課題】
【０００５】
ここに、このものは、掲示板等のためのスタンドとして利用することが可能であるが、次のような観点からは、なお改善を加えられる余地がある。
【０００６】
すなわち、第一は、その運搬、移動等の点であり、また、第二は、全体が傾倒するような力が加わった場合の安定性、安全性等の点である。
【０００７】
上記スタンドは、開脚状態の設置状態から収容等する場合、折り畳み可能であることから、折り畳み状態で運搬・移動可能ではあるものの、しかし、その際、いちいち折り畳まなければならず、また、もし、開脚状態のままで全体を所定の場所（他の設置場所、あるいは収容場所等）へ移動させようとすると、全体を持たなければならない結果、かなりの労力等を要するなどの不利不便があり、こうした利便性の面ではなお改善できる余地がある。
【０００８】
よって、望ましいのは、このような不利不便を解消し得て、運搬・移動に便利なようにすることができることである。
【０００９】
また、上記スタンドは、その開脚（組み立て）後の使用状態では、前支柱及び後支柱が、前支柱と後支柱とが閉じる方向に不用意に回転するのを防止（折り畳み防止）しようとしているものの、もし、背後から人がぶつかるなどして、掲示板もろともスタンド全体が前方に傾倒してしまうような場合において、そうしたときの効果的な転倒の防止を実現する機能までは有してはいない。
【００１０】
ポスターなどのための看板、ボード、展示器、広告用具等は、上述したコミュニケーションツール、販促ツールとしての性質上、人目に触れようにすることが目的であることから、屋内外を問わず人の通行が多い場所に設置される場合が多く、従って、人がぶつかるなどする可能性はより大きいといえ、それゆえにその転倒防止を図ることは重要である。
【００１１】
よって、より望ましいのは、上記した如くの運搬・移動の利便性を実現しつつ、設置場所での転倒防止及び抑制等の安定性、安全性をも確保し、これらの両立を図ることができる掲示装置を提供することである。
【課題を解決するための手段】
【００１２】
本発明によって、以下の掲示装置が提供される。すなわち、ポスター等の被取付物の設置の用に供し得るパネル部と、該パネル部を支持する左右一対の支持体とこれらの支持体を下部において支持する支持基体とを有するフレーム部とを備える掲示装置であって、前記支持体は、前記支持基体の一方の側からそれぞれ傾斜しつつ立ち上がるよう構成し、これらの傾斜した前記支持体間に前記パネル部を取り付けると共に、前記支持基体には複数の回転可能なキャスターを設け、かつ、前記支持体の先端が傾斜している側に配するキャスターは、回転止め状態に切換え可能なストッパーを有しており、前記ストッパーを有するキャスターは、前記掲示装置の運搬・移動時を除く使用状態もしくは設置状態において、回転止め状態とされることを特徴とする掲示装置である。
【００１３】
また、前記フレーム部は、前記支持体と前記支持基体とが一体構造であってもよい。
【００１４】
また、前記フレーム部は、一本の管材で構成されていてもよい。
【００１５】
また、前記フレーム部は、左右一対の前記支持基体のそれぞれにおいて、前記パネル部のパネル面に対して突出する形状の突出部を形成することにより、前記支持体の立ち上がり部分を前記支持基体の中央寄りになるよう設定してもよい。
【００１６】
また、左右一対の前記突出部は、前記支持体に関して、それぞれ左右方向に張り出すよう構成されていてもよい。
【００１７】
また、前記支持基体は、凸部等の屈曲部が形成されていてもよい。
【００１８】
また、前記パネル部は、マグネットが吸着可能になるよう構成すると共に、少なくとも一部に、貫通孔を多数穿設した孔開け部を設けてもよい。
【発明の効果】
【００１９】
本発明にかかる掲示装置によれば、運搬・移動の利便性を確保しつつ、設置場所での転倒防止乃至抑制等の安定性、安全性をも同時に確保し、これらの両立を図ることを可能ならしめる。
【００２０】
この場合において、好ましくは、フレーム部は、これを、左右の傾斜支持体と支持基体とが一体構造となる構成として、また、好ましくは、一本の管材で構成されるものとして、本発明は実施でき、同様にして上記のことを実現することを可能ならしめる。
【００２１】
好適例では、例えば、一本のパイプの曲げ加工で、比較的強度をもち、かつ中空状であるためにその分軽量なものとして、前記フレーム部が容易に構成できる。
【００２２】
また、好ましくは、フレーム部の左右の支持体を支持する支持基体の左右それぞれにおいて、突出する形状の突出部を形成することにより各傾斜支持体の立ち上がり部分を支持基体の中央寄りになるよう設定する構成として、本発明は実施でき、同様にして上記のことを実現することを可能ならしめる。
【００２３】
好適例では、例えば、比較的背の高いパネル部でも、その立ち上がり状態を起こして、かつ重心を中央に位置させて安定性を図る構成とすることができる。
【００２４】
この場合において、好ましくは、前記支持基体の左右それぞれにおける突出部を、前記左右の傾斜支持体に関して、それぞれ左右方向に張り出させるよう構成して、本発明は実施でき、同様にして上記のことを実現することを可能ならしめる。このようにすると、左右方向外側に張り出させた分、安定性をさらに図る構成とすることができる。
【００２５】
また、好ましくは、前記フレーム部の支持基体に、凸部等の屈曲部を形成する構成として、本発明は実施でき、同様にして上記のことを実現することを可能ならしめる。
【００２６】
ここに、該屈曲部は、本発明装置を２台組み合わせる場合における相手装置側との干渉を回避できる干渉回避部として機能させ得て、２台を、その背面側同士を適切に組み合わせて使用し得るようにすることができる。
【００２７】
また、好ましくは、パネル部は、これを、マグネットが吸着可能になるよう構成すると共に、ほぼ全面にまたは少なくとも一部に、多数の孔を設ける構成として、本発明は実施でき、同様にして上記のことを実現することを可能ならしめる。
【００２８】
このようにすると、ポスター等をマグネットを用いた挟着形態で簡便容易に取り付け取り外しすることを可能ならしめ、また、例えば、パネル部を鋼材で構成しても、孔を設ける分、軽量化を図ることができるほか、かかる孔は、これを多様な使い方に用いることができる。
【発明を実施するための最良の形態】
【００２９】
以下、本発明の好適な実施の形態について、添付図面に基づいて詳細に説明する。
【００３０】
〔第１実施例〕：
図１乃至図１０は、第１実施例の掲示装置の説明に供する図である。本実施例では、例えばパチンコホール（店舗）における販促用什器として適用した場合を示す。
【００３１】
図１〜図４は、装置全体斜視図、正面図、側面図及び一部断面（図２のＢ−Ｂ断面）平面図であり、図中、参照符号１０１は本発明に従う装置全体を示している。掲示装置１０１は、パネル部１０と、フレーム部３０とを有すると共に、複数（本実施例では前後左右の４個）のキャスター５１ＦＬ〜５１ＲＲを有する。
【００３２】
パネル部１０は、長方形の平板状のパネル面１１を有し、これはポスター、マグネット式ホワイトボード、パンフレット、カタログ等の被取付物（掲示物）を設置するのに使用することができる。フレーム部３０は、このようなパネル部１０を支持する左右の支持体３１Ｌ，３１Ｒと、これら左右の支持体３１Ｌ，３１Ｒを下部において支持する支持基体３５とを有する。
【００３３】
フレーム部３０における支持基体３５は、図１、図４に例を示す如くに、左右一対の支持体３１Ｌ，３１Ｒのそれぞれに対する、ロッド状の左右支持基体３６Ｌ，３６Ｒを有する構成とすることができる。そして、左右支持体３１Ｌ，３１Ｒとの関係では、該各支持基体の一端側（掲示装置１０１の前方側）から、それら支持体３１Ｌ，３１Ｒが、それぞれ傾斜しつつ立ち上がるようにして、フレーム部３０は構成される（図１、図３、図４参照）。
【００３４】
つまり、図３を参照すれば明らかなようにフレーム部３０は、支持体３１（右支持体３１Ｒ）と支持基体３５とが鋭角をなすように、また、支持体３１（右支持体３１Ｒ）と支持基体３５の連接箇所を起点に各々が拡開するように、形成されている。なお、左右支持基体３６Ｌ，３６Ｒと連結部３９からなる支持基体３５は、掲示装置１０１の設置面に対して水平に置かれる。
【００３５】
ここに、図１及び図４をみるに、該フレーム部３０の構成は、背後にかなりの空間が存在する装置構成とすることができることがわかる。
【００３６】
また、本実施例では、左支持基体３６Ｌ及び右支持基体３６Ｒのそれぞれの他方の側（装置後方側）において、両者を一体に連結する連結部３９（後部支持基体）を有し、よって、この場合は、支持基体３５部分は、左右の傾斜した支持体３１Ｌ，３１Ｒの立ち上がっている前方側（左右支持体３１Ｌ，３１Ｒと支持基体３５の連接側）が開口し、後方側（左右支持体３１Ｌ，３１Ｒと支持基体３５の拡開方向）が閉じた直線のコ字形状からなるものとして構成している。
【００３７】
ここにまた、好適には、支持基体３５の左右支持基体３６Ｌ，３６Ｒ相互は、図４に示す如くに、後方に延伸するにつれ、相互の間隔が狭くなるようになす。こうするときは、上記のように背後に空間が存在することもあって、当該間隔を狭める程度など適切に設定することにより、図４に一点鎖線で例示するように、掲示装置１０１を複数台、前後方向に重なるようにして置くこと（縦連重ね置き）が可能で、結果、装置収容に際し、余分なスペースをとらずに済むようになり、非使用時の収容性に優れるものとなる。
【００３８】
上記のような構成の支持基体３５と左右の支持体３１Ｌ，３１Ｒとは、好適にはまた、これらが一体構造によるものであるのがよい。より好ましくは、１本の管材で構成されるのがよく、本実施例では、フレーム部３０は、単一のパイプ部材の加工によって形成してある。
【００３９】
すなわち、左支持体３１Ｌ、左支持基体３６Ｌ、連結部３９、右支持基体３６Ｒ、及び右支持体３１Ｒの各部分は、１本のパイプ部材（例えば、厚さ約１．２ｍｍ、径約２５ｍｍの鋼管）をもって全体を曲げ加工で一体に形成してある。
【００４０】
かかる構成を採用すると、取り付けるべきパネル部１０がかなりの大きさの面積を有するものであっても、これを支えるの必要な強度も容易に持たせ得ると共に、フレーム部３０が中空状のものであるため、その分、装置全体として軽量化が図れる等の利点がある。加えて、フレーム部３０の部分の連接個所は、図１、図３、図４に示されるように、角張った角部となることもなく、丸い形状の曲がり部となる結果、掲示装置を取り扱うホールスタッフや店舗来客者等が、そうした角部に足などを引っ掛けてしまうなどするのを効果的に防止することもできる。
【００４１】
パネル部１０の具体的な構成、フレーム部３０への取り付け等は、次のようにすることができる。
【００４２】
平板状のパネル面１１を構成する部分自体が強度的に十分なものであれば、これを直接的にフレーム部３０の左右支持体３１Ｌ，３１Ｒに取り付けることができるが、それほどの強度がない場合であっても、以下のように、パネル面１１の上下・左右側縁に補強枠としての外枠を設ける構成を採用することで強度を補強し、かつまた、これを利用した取り付けを行うことが可能である。
【００４３】
図５は、図４の断面部分の拡大説明図（Ｅ−Ｅ間拡大）でパネル部１０の取り付け等の状態の一例をも示し、図６には、その場合のパネル部１０の上端部分等を含むの構成が示されている。
【００４４】
本実施例において、パネル部１０は、金属製とし、好ましくは、磁石（マグネット）が吸着可能な材質の板材（例えば、厚さ約１．２ｍｍの鋼板）によるものとして、その左右側縁には、図５に示す如くに、該板材の折り曲げ加工により側縁枠部１３（左右側縁用枠体）を形成し、同様にして、その上下側縁には図６に示す如くのＬ字状の側縁枠部１５（上下側縁用枠体）を形成してある。
【００４５】
パネル部１０のフレーム部３０への取り付けは、かかる左右の側縁枠部１３を利用し、図４、図５に示すように、左右の支持体３１Ｌ，３１Ｒの周側面に側縁枠部１３の外側面を取り付けるようになす。具体的には、例えば、溶接により溶着させてこれを行うことができる。
【００４６】
ここに、上下左右の各側縁枠部１３，１５の端部部分は折り返して、それぞれ折り返し部１３ａ，１５ａを形成するようにもしてある（図５、図６参照）。このようにすると、フレーム部３０の左右の支持体３１Ｌ，３１Ｒ部分をホールスタッフが手で持って、あるいはパネル部１０の上端部分を手で持って、掲示装置１０１を、回転可能なキャスター５１ＦＬ〜５１ＲＲの回転の下、移動させるときでも、手にけがをさせるなどのおそれが少なくなる。
【００４７】
なお、左右支持体３１Ｌ，３１Ｒの先端の管状端面部分には、キャップ７１（例えば、樹脂成形による中栓キャップ）を設けて、これを覆うようにしてある。
【００４８】
また、本実施例において、パネル部１０には、そのパネル面１１に、所定径の小さな孔１１ａを多数貫通形成するようになす。ここでは、孔形成域をパネル面１１のほぼ全面とし、縦横方向に所定間隔で規則的（本実施例では格子状である）に孔１１ａを穿設してある。このようにすると、孔１１ａが設けられている分、パネル部１０の軽量化に寄与し、後述するような多様な使い方に役立つものともなる利点がある。
【００４９】
上述の如くにパネル部１０を左右の支持体３１Ｌ，３１Ｒ間に取り付け支持したフレーム部３０の支持基体３５の下部の前後左右に、キャスター５１ＦＬ〜５１ＲＲを各々取り付け、これらパネル部１０及びフレーム部３０全体を移動可能に支持するようになすと共に、更にはまた、この場合において、掲示装置１０１の運搬・移動の利便性を確保しつつ、設置場所での転倒防止等の安定性をも同時に確保し、これらの両立を図れるようにするべく、左右支持体３１Ｌ，３１Ｒの先端が傾斜している側に配するキャスターとして、回転止め状態に切換え可能なストッパー（ストッパー操作部５２）を有するキャスターを配するようになす。
【００５０】
これがため、ここでは、前後左右に配する左前キャスター５１ＦＬ、右前キャスター５１ＦＲ、左後キャスター５１ＲＬ及び右後キャスター５１ＲＲのうち、左右の後キャスター５１ＲＬ，５１ＲＲは、ストッパー操作部５２を有しており、支持基体３５における左右支持基体３６Ｌ，３６Ｒの後端部分に取り付けてある。ここに、各キャスター５１ＦＬ〜５１ＲＲは、その回転部がボール状のものを使用してある。
【００５１】
更に、図７〜図１０をも参照して説明する。図７は、掲示装置１０１の使用状態の一例を示し、図８は、比較例装置２０１と対比して示す転倒防止機能の説明図である。また、図９は、掲示装置１０１に適用できるポケット８２の一例を示し、図１０は、同ポケット８２を用いる場合における使用状態拡大説明図である。
【００５２】
図７に示すように、掲示装置１０１では、被取付物（掲示物）としてのポスター１をパネル部１０のパネル面１１表面に貼付することができると共に、その際、図示の如くに、マグネットの吸着可能なパネル面１１に対し、ポスター１の上縁近傍部分（必要に応じて下縁近傍部分等も）をマグネット止着具８１（棒状マグネット）で挟着してこれを行うことが可能である。
【００５３】
このように、マグネットを利用した挟着形態でポスター１を簡便容易に取り付け取り外しできる。ホールスタッフとしては、貼り易く、手軽に貼れ、簡単に着脱ができ、貼り替え作業も容易にできる。従ってまた、貼り替えの時間も短縮でき、ポスター貼り替え（ポスター変更等）にも、すぐに対応でき、便利である。
【００５４】
更には、パネル面１１に多数の孔１１ａが格子状に貫通形成されているため、ホールスタッフは、こうした孔１１ａの位置を目安としてポスター１の貼付すべき位置を把握することができる（図７参照）。従って、容易に真っ直ぐに貼ることができ、このような使い方もできる利点がある。
【００５５】
上記のようにしてポスター１を設置後、掲示装置１０１を移動させようとするときは、左右の後キャスター５１ＲＬ，５１ＲＲ側は、ストッパー操作部５２により回転止め状態を回転許容状態に戻して、左（または右）支持体３１Ｌ（または３１Ｒ）を手で持って押すなどして移動させればよい。掲示装置１０１は、そのとき、パチンコホール内の床面上を前後左右方向に自在に軽快に動き、よって、所望の設置場所に、容易にかつすばやく運搬・移動させることができる。
【００５６】
所望の設置場所に移動させたら、ホールスタッフは、ストッパー操作部５２を操作して、左右後キャスター５１ＲＬ，５１ＲＲを回転止め状態に切換える。
【００５７】
特に、パチンコホールにあっては、パチンコ玉を扱うことから、これが床面に落ち、掲示装置１０１の下に転がっていってしまうような場合もある。そのように床面に落ちたパチンコ玉が掲示装置１０１の直下に、またはその近傍で溜まったような場合に、あるいはその他のゴミなども溜まりやすいことからそのような場合に、それを容易に除去（掃除）することができることが望ましい。
【００５８】
こうした場合には、上述のようにして、一旦、左右後キャスター５１ＲＬ，５１ＲＲの回転止め状態をストッパー操作部５２の操作により解除し掲示装置１０１を前後左右の所望の方向に少し移動させて、所要の作業をした後、再び設置場所に戻して回転止め状態に切換えておけばよい。掲示装置１０１は、かように運搬・移動性に優れ、使い勝手がよい。
【００５９】
しかして、このように左右後キャスター５１ＲＬ，５１ＲＲを回転止め状態に切換えた以後は、その設置状態では、左右後キャスター５１ＲＬ，５１ＲＲにブレーキがかかっている分、不必要に大きく移動するなど動き出すことは防止される。
【００６０】
更に、上記設置状態で、例え、掲示装置１０１の背後（パネル面１１のポスター１掲示面と反対側の面）から、人がぶつかるなどして、力が加わったときでも、その衝撃を、巧みに吸収し得て、本発明非採用のものであったなら、前方に倒れてしまうようなケースであっても、これをよく防止乃至抑制することが可能である。
【００６１】
図８をみるに、同図（Ａ）は、掲示装置１０１の場合につき、また同図（Ｂ）は比較例装置２０１の場合につき、それぞれ、装置背後（図中右方向）から矢印で示す如く力が加わった場合の様子を対比して示すものである。
【００６２】
ここに、比較例装置２０１は、前側点ＰＬ及び後側点ＰＲにより設置面（床面）Ｆ上に固定的に設置されている状態にあるもの（設置面上での支持構成に関し、キャスターを使用しない構成であれば前後左右の単なる４点支持の場合に相当し、またキャスター使用の場合であっても、前後側とも回転止め状態にある場合に相当するもの）を表すものとする。
【００６３】
同図（Ｂ）において、今、実線で示す状態の比較例装置２０１の背後から矢印に示す方向の力が加わったとすると、それが小さければ、後部の点ＰＲ側が浮き上がるようにして点ＰＬを中心に比較例装置２０１全体が回動（図中反時計方向への回動）をしても、自重による復元力（図中時計方向に働く力）によって、元の状態に戻され得る。ここに、図中の一点鎖線で示す状態は、こうしたバランスがくずれる不安定状態であり、これを超えると、比較例装置２０１は、前に転倒するに至ることになる。
【００６４】
従って、比較例装置２０１の背後から、人がぶつかるなどして、力が加わったとき、その衝撃の力の大きさ如何では、装置全体は、同図（Ｂ）中、実線の図示状態から、一点鎖線図示状態、二点鎖線図示状態の如くに推移して転倒してしまう。
【００６５】
これに対し、同図（Ａ）の掲示装置１０１の場合は、このようなことが避けられ、転倒防止が図れ、安定性、安全性に優れる。
【００６６】
すなわち、例え、比較例装置２０１の場合であったなら上記のように転倒してしまうであろう力と同程度の力が掲示装置１０１の背後から加わったとしても、掲示装置１０１の使用状態もしくは設置状態（運搬・移動時を除く）においては回転止め状態にある左右後キャスター５１ＲＬ，５１ＲＲを配した支持基体３５の後部が一旦浮き上がると同時に、回転可能な左右前キャスター５１ＦＬ，５１ＦＲによって、掲示装置１０１は、そのような後方が浮いた状態で前方に進み始める。同図（Ａ）の一点鎖線の状態は、このような様子を表している。
【００６７】
このことは、人がぶつかるなどして背後から加わった衝撃の力の一部が、掲示装置１０１を移動させる力に転じていることを意味し、その分、掲示装置１０１は装置全体が傾く度合いが少なくて済むこととなる。
【００６８】
しかして、同図（Ａ）の一点鎖線の状態では、自重による復元力が働くから、前方への移動の間、掲示装置１０１は元の状態に戻ろうとし、ついには左右後キャスター５１ＲＬ，５１ＲＲが再び設置面Ｆに着地すれば、その時点からは、回転止め状態にある当該左右後キャスター５１ＲＬ，５１ＲＲによるブレーキが働き、これによって、掲示装置１０１の前方への移動は停止させられ、結果、掲示装置１０１は、同図（Ｂ）のようには転倒することなく、再び安定した設置状態になる。
【００６９】
こうして、掲示装置１０１自体を、あえて力が加わる方向と同方向に移動させることで、掲示装置１０１全体を傾けるように作用する分の力を緩和しているのである。従って、既述の如くに運搬・移動の利便性を高めている（運搬・移動時は、左右後キャスター５１ＲＬ，５１ＲＲを回転可能な状態にしておく）と共に、その移動が容易にできるという点を上記の場面でも活用して、設置状態、使用状態（運搬・移動時を除く）においては、左右後キャスター５１ＲＬ，５１ＲＲを回転止め状態にしておくので、設置場所での転倒防止乃至抑制等の安定性、安全性をも確保しているのであり、巧みにそれらを両立させている。
【００７０】
掲示装置１０１は、パネル部１０へのポスター１の取り付けの他、図９に示すようなポケット８２を着脱自在に取り付けて使用することもできる。
【００７１】
ここに、ポケット８２は、パネル面１１の孔１１ａに挿通して取り付けるための一対の係合部８２ａ，８２ａを有すると共に、側部８２ｂと、前部８２ｃと、低部８２ｄと、取り付け時にパネル面当接部となる後部８２ｅと有し、これらが１本のパイプ等の管状部材やワイヤ等の線材によって一体に折り曲げ形成されたものを利用することができる。
【００７２】
こうしたポケット８２の両端にある２つの係合部８２ａをパネル部１０のパネル面１１に設けた孔１１ａに挿入し、係合部８２ａをパネル面１１の裏面に当接されるとともに、後部８２ｅをパネル面１１の表面に当接されることによって、ポケット８２は、図１０のようにして、パネル部１１のパネル面１１に取り付け固定される。このポケット８２の内部、すなわち側部８２ｂと前部８２ｃと底部８２ｄとパネル面当接部８２ｅによって形成された空間内に、例えば、パンフレット５を差し込んで立て掛けることができる。具体的には、パチンコホールにおける配布物としての機種小冊子なども、かかるポケット８２を利用して設置することができる。
【００７３】
本実施例では、パネル部１０のパネル面１１のほぼ全面に孔１１ａが貫通形成されているから、上記ポケット８２は、パネル面１１のほぼ全領域を対象として取り付けることができる。パネル面１１の孔１１ａは、既に述べた用途等の他、このような使い方もできる。
【００７４】
〔第２実施例〕：
次に例をもって示すものは、第１実施例の変形例であり、あるいは、これを拡張発展させたものとも捉えることもできるものであって、例えば、比較的背の高いパネル部でも、その立ち上がり状態を起こして、かつ重心を中央に位置させてさらに安定性を図ろうというものであり、そのため、フレーム部の左右の支持体を支持する支持基体の左右それぞれにおいて、突出する形状の突出部を形成することにより各傾斜支持体の立ち上がり部分を支持基体の中央寄りになるよう設定せんとするものである。
【００７５】
かかる第２実施例の掲示装置１０２につき図１１乃至図１８を参照して説明する。図１１〜図１５は、本実施例の掲示装置１０２の全体斜視図、正面図、側面図、平面図及び一部断面拡大説明図である。なお、図１５の一部断面拡大図の断面拡大部位は、第１実施例におけるＢ−Ｂ断面のＥ−Ｅ間と同様である。
【００７６】
なお、以降の説明（後記の第３，４実施例の場合を含む）においては、第１実施例の掲示装置１０１における構成要素と同一または同様の構成要素については、同一の符号を付してその具体的な説明は省略する。
【００７７】
以下、主として第１実施例と異なる特徴部分につき説明する。本実施例においては、まず、左右支持体３１Ｌ，３１Ｒと左右支持基体３６Ｌ，３６Ｒとのそれぞれの連接部位において、それぞれ参照符号３３Ｌ，３３Ｒを付して示す段部が設けられた構成としてある（図１１、図１３等参照）。なお、左右支持基体３６Ｌ，３６Ｒと連結部３９からなる支持基体３５については、掲示装置１０２の設置面に対して水平に置かれる。
【００７８】
図示例では、これが、フレーム部３０の左右の支持体３１Ｌ，３１Ｒを支持する支持基体３５の左右それぞれにおいて、パネル面１１に対して突出するようにＵ字状に湾曲した突出部（左右段部３３Ｌ，３３Ｒ）を形成することとなり、そして、こうした左右段部３３Ｌ，３３Ｒを介して各左右支持体３１Ｌ，３１Ｒを傾斜して立ち上げてある。
【００７９】
こうすると、各左右支持体３１Ｌ，３１Ｒの立ち上がり部分を支持基体３５の中央寄りになるようにすることが可能である。また、これに伴い、各左右支持体３１Ｌ，３１Ｒのそれぞれの先端部（パネル部１０との接合部）も、図１３に示す如くに、支持基体３５の中央寄りの位置の鉛直上に位置させるようになす。
【００８０】
すなわち、前記図３と図１３とを対比比較すればわかるように、図３の場合は、各左右支持体３１Ｌ，３１Ｒの先端部は、ほぼ支持基体３５の後端部部分の鉛直上に位置しているが、図１３に示すように、図中左側に寄せる（中央寄りにさせる）ようにする。
【００８１】
かくして、このようにすると、掲示装置１０２では、取り付け支持されるパネル部１０は、比較的背の高いパネル部でもその立ち上がり状態を起こして、かつまた、図１４に示されるように、支持基体３５の前後方向の中央部分（図中の上下方向の中央部分）の上部位置に配されるようにして、フレーム部３０に取り付け支持することができ、従ってまた、重心を中央に位置させて安定性を図ることができる。
【００８２】
また、掲示装置１０２では、パネル部１０の取り付け支持は、図１５に右支持体３１Ｒ側での様子を一例として示す如くに、側縁枠部１３とその先端に形成された折り曲げ片１４とにより、右支持体３１Ｒを抱くようにして、側縁枠部１３及び折り曲げ片１４の内側面側を右支持体３１Ｒの周側面に取り付けてある。この点は、右支持体３１Ｌ側でも同様の構成で取り付けてある。
【００８３】
このようにすると、第１実施例では、左右支持体３１Ｌ，３１Ｒ部分がパネル部１０の両側部に露出する形態であったのに対し、掲示装置１０２では、左右支持体３１Ｌ，３１Ｒは、これをパネル部１０のパネル面１１の背後に隠すようにすることができる。
【００８４】
なお、パネル部１０のＬ字状の側縁枠部１５側についても、同様の観点から構成し、例えば上側部分においては、左右支持体３１Ｌ，３１Ｒの管状端面部分を当該側縁枠部１５自体でこれを覆うようにするとよい。この場合、前記キャップ７１を不要とすることができる。
【００８５】
また、ストッパー操作部５２を有する左右後キャスター５１ＲＬ，５１ＲＲの取り付け位置については、支持基体３５の連結部３９としてもよく、本実施例ではそうした例を示してあり、また、パネル面１１に設ける孔１１ａの形成域については、全面ではなく、その一部分とし、ここでは、図１１、図１２等に図示されるような範囲をもってパネル面１１の下部領域に孔開け部１２を設定してある。
【００８６】
掲示装置１０２では、パネル部１０のパネル面１１が、第１実施例における掲示装置１０１に比較して、面積の大きいものとなり（従って、例えばＡ０，Ａ１サイズ等の大きいポスターの設置に適する）、かつまた第１実施例よりも立ち上げてあるので、ほぼ全面わたって孔１１ａが形成されている場合には、裏側から風があたるようなときには、その風の力をポスター全面に受け易く、ポスターが剥がれるので、こうしたことを考慮しこれを重視するときは、本実施例のように、全面ではなく一部に孔１１ａを設けるようにしてもよい。
【００８７】
図１６は、掲示装置１０２の使用状態の一例を示してあり、このようにして、Ａ０，Ａ１サイズ等の比較的サイズの大きいポスター２の設置の用に供することができる。なお、第１実施例の掲示装置１０１では、適応できるポスターサイズがＢ３サイズであったが、掲示装置１０２では、例えば遊技機メーカーから提供されるＡ０サイズの機種ポスターまで適用可能になるようにすることもできる。
【００８８】
また、パネル面１１ａが立ち上がっているので、その分、店舗来客者等の目線に合いやすいものとなる。
【００８９】
なお、ポスター２の取り付けにマグネット止着具８１を用いることができることや、孔開け部１２の孔１１ａを用いて、機種小冊子の設置等に利用できるポケット８２を取り付けられること等については、第１実施例と同様である（これら点は、後記の第３，４実施例も同様である）
【００９０】
図１７に掲示装置１０２の使用状態の他の一例が示されており、ここでは、掲示装置１０２を２台並列に併設連結して使用する場合の一例を示してある。また、図１８は同連結に適用できるジョイント９０の一例を示す。
【００９１】
図１７図示の如くに、掲示装置１０２は、これを２台横に並べて組み合せ、一方の掲示装置１０２と他方の掲示装置１０２の互いに隣接する右支持体３１Ｒ及び左支持体３１Ｌの各立ち上がり部分をジョイント取付部位Ｊとし、これに、図１８に示すジョイント９０を取り付けて連結するようにして使用することもできる。
【００９２】
ジョイント９０は、図１８（Ａ），（Ｂ）の平面図及び正面図に示すように略３の字状をなしている。具体的には、左右に一対の嵌合壁部９１を有して、一部に開口９３を形成する構成とし、例えば可撓性の合成樹脂から形成されている。また、撓み易くするため、それぞれの嵌合壁部９１の一部には透孔９１ａを設けてある。
【００９３】
このようなジョイント９０は、図１７に示したジョイント取付部位Ｊにおいて、右支持体３１Ｒ及び左支持体３１Ｌを、開口９３を介して一対の各嵌合壁部９１内に嵌め込むようにして嵌着させると、２台の掲示装置１０２は、それそれのパネル面１１が、その左右側縁枠部部分同士が直接的に突き合わされて、あたかも一枚の大きなパネル面（掲示装置１０２単独の場合のパネル面１１の２倍の面積を有するパネル面）となるようにして連結させることができる。
【００９４】
このようにすると、より面積がある分、パチンコホールにおいて、様々な付属ＰＯＰ等の掲示物への対応も可能となる。
【００９５】
例えば、サイズに制約を受けることが少なくなり、容易にポスターを掲示することできる。換言すれば、上記のように併設すると、ポスターサイズにとらわれることなく、また、複数種類のポスターを掲示することも可能となる。これがため、また、例えば、縦、横、斜めなどのレイアウトの工夫も容易でき、これにより、掲示物の演出効果も高められる。こういった使い方も可能となる。
【００９６】
更には、図１７に例示するように、図中右側の掲示装置１０２には、図１６と同様にポスター２の貼り付けに利用する一方、図中左側の掲示装置１０２のパネル面１１に対しては、パネル面１１から着脱可能なマグネット式のホワイトボード８５を取り付けるのに用いることもできる。
【００９７】
ここに、該マグネットホワイトボード８５は、ホワイトボード用マーカー／イレーサーで手書／消去が可能であることから、これを利用すれば、即時性の求められる情報、例えば当該パチンコホールでの当日のイベント案内、あるいはポスター等のＰＯＰでは対応できない部分の補佐のための情報（手書きで補足事項が可能）、その他のタイムリーな情報にも容易に対応でき、また、ホールスタッフの直筆によりアットホームなイメージが構築できるなど、多様性を高められる。掲示装置１０２は、このようにして使用することもできる。
【００９８】
なお、上記では、掲示装置１０２の特徴部分につき述べたが、第１実施例と同様の他の構成部分による作用効果は、第１実施例で述べたのと同様の作用効果を奏し得る（この点は、後記の第３，４実施例も同様である）。
【００９９】
〔第３実施例〕：
次に例をもって示すものは、第１実施例の変形例もしくはその拡張発展例でもあり、あるいは第２実施例の変形例もしくはこれを拡張発展させたものとも捉えることもできるものであって、フレーム部の左右の傾斜支持体を支持する支持基体の左右それぞれに突出部を形成する場合において、かかる突出部を、左右の傾斜支持体に関して、それぞれ左右方向に張り出させるよう構成して、左右方向外側に張り出させた分、安定性を更に図ろうというものである。
【０１００】
かかる第３実施例の掲示装置１０３につき図１９乃至図２３を参照して説明する。図１９〜図２３は、本実施例の掲示装置１０３の全体斜視図、正面図、側面図、平面図及び使用状態を示す説明図である。なお、これらに図においては、第１実施例乃至第２実施例の掲示装置における構成要素と同一または同様の構成要素については、同一の符号を付してその具体的な説明は省略する。
【０１０１】
以下、主として第２実施例と異なる特徴部分につき説明する。本実施例においては、第２実施例で触れた湾曲した突出部としての左右段部３３Ｌ，３３Ｒがあるが、こられが、左右支持体３１Ｌ，３１Ｒからみて、それぞれ左右方向に張り出ている。これは、図２０、図２２を、前記図１２、図１４と対比してみると、よくわかる。
【０１０２】
さらに、図２２を、前記図１４と対比してみると、掲示装置１０３では、既述のように、取り付け支持されるパネル部１０に関して、支持基体３５の前後方向の中央部分（図１４中の上下方向の中央部分）の上部位置に配され、重心を中央に位置させ安定性を図ることができるのみならず、支持基体３５の左右方向（図１４中の左右方向）の中央寄りにも持ちきたすことができるので、その分、更に安定化に寄与することがわかる。
【０１０３】
かくして、このようにすると、左右段部３３Ｌ，３３Ｒを左右方向外側に張り出させた分、安定性を更に図ることができる。
【０１０４】
なお、本実施例の掲示装置１０３では、上記のような構成に伴って、使用するパネル部１０としては、その横幅（左右幅）が、第２実施例による場合に比し小さなものとなる。結果、図２３に使用状態の一例を示す如くに、適用するポスター３としても、第１実施例の場合と第２実施例の場合との間の大きさのもの、例えばＢ２サイズのものが適するものとなる。
【０１０５】
また、図示例では、パネル部１０の支持取り付け構成には、第１実施例の構成（図５）によるものとしてあるが、第２実施例の構成（図１５）によるものであってもよい。本実施例の掲示装置１０３は、このようにして使用することもできる。
【０１０６】
〔第４実施例〕：
更に、次に例をもって示すものは、第１実施例、または第２実施例の変形例もしくはその拡張発展例でもあり、あるいは第３実施例の変形例もしくはこれを拡張発展させたものとも捉えることもできるものであって、本発明に従う装置を２台組み合わせる場合における相手装置側との干渉を回避できる手段を導入し、２台を、その背面側同士を組み合わせて使用し得るようにしようというものであり、そのため、フレーム部の支持基体に、凸部等の屈曲部を形成する構成にしようというものの一例である。
【０１０７】
かかる第４実施例の掲示装置１０４につき図２４以下を参照して説明する。
図２４〜図２６は、本実施例の掲示装置１０４の全体斜視図、正面図、側面図であり、図２７，２８は、使用状態の一例の説明に供する図で相手装置と背面側同士を組み合わせて使用する場合の斜視図である。なお、これらに図においては、第１実施例乃至第３実施例の掲示装置における構成要素と同一または同様の構成要素については、同一の符号を付してその具体的な説明は省略する。
【０１０８】
以下、主として第３実施例と異なる特徴部分につき説明する。本実施例の掲示装置１０４に関し、図２４〜図２８中、第３実施例の掲示装置１０３と異なるのは、これらの図からわかるように、参照符号３８を付して示す部分だけであり、他の構成部分は、該第３実施例の掲示装置１０３と、同一であってよい。
【０１０９】
かかる参照符号を付した部分は、掲示装置１０４を、組み合わせるべき相手装置と背面側同士で組み合わせる際に、双方の支持基体３５同士が接触するのを避けるため、相手装置側との干渉を回避できる干渉回避部（干渉回避手段）を設けるものである。
【０１１０】
これは、好適には、フレーム部３０の支持基体３５に形成する屈曲部とすることができ、図示例では、左右支持基体３６Ｌ，３６Ｒ部分において形成した、上方に突出した山型の凸状部であり、これが、図２７、図２８（図２７を反対側から見た斜視図）の使用例に示す如くに、これまでの実施例におけるように支持基体３５が設置面に対して平行に設けられているような相手側装置と組み合わせた時、平行な支持基体３５に接触しないよう相手側装置の支持基体３５を跨ぐことになる。従ってまた、相手側装置の支持基体３５は、当該凸状部３８部分で跨がれることになる。
【０１１１】
ここでは、相手側装置として第３実施例の掲示装置１０３を用いて、これと背面側同士を組み合わせて使用する場合であり、本実施例の掲示装置１０４と第３実施例の掲示装置１０３との２つの掲示装置を背面側同士を組み合わせて使用し得るよう、組み合わせるべき一方の掲示装置側である掲示装置１０４のフレーム部の支持基体３５の後部部分が、組み合わせるべき他方の掲示装置側である掲示装置１０３のフレーム部の支持基体３５の連結部３９を跨いで内側に入り込んでいることがわかる。
【０１１２】
換言すれば、掲示装置１０４の凸状部３８及び左右後キャスター５１ＲＬ，５１ＲＲが、掲示装置１０３の支持基体３５の連結部３９を跨いで、コ字状部内に収容される。尚、いずれの掲示装置１０３，１０４についても、左右後キャスター５１ＲＬ，５１ＲＲ間の距離は、左右前キャスター５１ＦＬ，５１ＦＲ間の距離よりも短く、フレーム部３０は、前方に左右拡開していることから、左右後キャスター５１ＲＬ，５１ＲＲをコ字状部内に収容することが可能となるのである。
【０１１３】
よって、図１７の場合が２台の掲示装置１０２を並列に併設配置したのに対し、ここでは、これら両掲示装置１０３，１０４のパネル部１０の上端部分が適切に突き合わされた状態で、つまり、パネル部１０の上辺同士が当接して、両者は背面同士で効果的に組み合わされ得る。換言すれば、掲示装置１０３，１０４とを背中合わせで組み合わせれば、掲示装置の設置に際し、省スペース化がなされるとともに、裏表２枚分の大きさの掲示スペースを確保することができる。
【０１１４】
かくして、上記凸状部３８によって、これを、装置を２台組み合わせる場合における相手装置側との干渉を回避できる干渉回避部として機能させ得て、該２台を、その背面側同士を適切に組み合わせて使用し得るようにすることができる。
【０１１５】
このようにすると、より使用形態を多様とし得て、装置の裏面側も使いたいというような要求にも適切に応えられ、結果、両面タイプ対応可能（ポスターの両面貼りが可能）なものともなる。
【０１１６】
特に、掲示装置１０３，１０４の組合わせ実施例は、掲示装置の前後二方向から人の出入がある場所にかかる態様で設置するのに有利であり、例えば、パチンコホールでの左右に出入口のあるような風除室のような場合に設置して好適であり、また、本実施例の場合は、孔開け部１２はパネル面１１の一部にあることから、既述のように、風の影響で剥がれる等することの防止手法も組み込まれている結果、この点でも、有利なものとなる。
【０１１７】
なお、掲示装置１０４の上記の凸状部３８は、下に凸でもよい。また、掲示装置１０４は、上記使用例に限らず、図２３と同様、単独でも、もとより使用可能であることはいうまでもない。
【０１１８】
また、以上では、パチンコホール（店舗）における販促用什器として適用した場合を例に説明してきたが、本発明はこれに限定されず、看板、ボード、展示器、広告用具等の器具その他これに類するものに適用して実施することができる。
【０１１９】
以上、掲示装置の実施例につき説明したが、本発明の掲示装置は、上記実施例で説明した構成要件の全てを備えた掲示装置に限定されるものではなく、各種の変更及び修正が可能である。また、かかる変更及び修正についても本発明の特許請求の範囲に属することは言うまでもない。
【図面の簡単な説明】
【０１２０】
【図１】第１実施例の掲示装置の全体斜視図である。
【図２】第１実施例の掲示装置の正面図である。
【図３】第１実施例の掲示装置の側面図である。
【図４】図１の掲示装置のＢ−Ｂ断面図であって、重ね置きの様子の説明にも供する図である。
【図５】図４の掲示装置のＥ−Ｅ間拡大説明図であって、パネル部の取り付け等の状態をも示す図である。
【図６】第１実施例の掲示装置のパネル部の上端部分等の構成の説明に供する図である。
【図７】第１実施例の掲示装置の使用状態の一例の説明に供する図である。
【図８】第１実施例の掲示装置の転倒防止機能の説明に供する図である。
【図９】第１実施例の掲示装置に適用できるポケットの一例を示す図である。
【図１０】第１実施例の掲示装置の使用状態の他の一例を示すもので、図９のポケットを用いる場合における使用状態拡大説明図である。
【図１１】第２実施例の掲示装置の全体斜視図である。
【図１２】第２実施例の掲示装置の正面図である。
【図１３】第２実施例の掲示装置の側面図である。
【図１４】第２実施例の掲示装置の平面図である。
【図１５】第２実施例の掲示装置の一部断面拡大説明図であって、図５に相当する図である。
【図１６】第２実施例の掲示装置の使用状態の一例の説明に供する図である。
【図１７】第２実施例の掲示装置の使用状態の他の一例を示すもので、第２実施例の掲示装置を２台連結して使用する場合の説明図である。
【図１８】図１７の連結に適用できるジョイントの一例を示す図である。
【図１９】第３実施例の掲示装置の全体斜視図である。
【図２０】第３実施例の掲示装置の正面図である。
【図２１】第３実施例の掲示装置の側面図である。
【図２２】第３実施例の掲示装置の平面図である。
【図２３】第３実施例の掲示装置の使用状態の一例の説明に供する図である。
【図２４】第４実施例の掲示装置の全体斜視図である。
【図２５】第４実施例の掲示装置の正面図である。
【図２６】第４実施例の掲示装置の側面図である。
【図２７】第４実施例の掲示装置の使用状態の一例の説明に供する図で、第３実施例の掲示装置と背面側同士を組み合わせて使用する場合の斜視図である。
【図２８】図２７の組み合わせ使用状態を、反対側（第３実施例の掲示装置側）から見た場合の斜視図である。
【符号の説明】
【０１２１】
１，２，３：ポスター
５：パンフレット
１０：パネル部
１１：パネル面
１１ａ：孔
１２：孔開け部
１３：側縁枠部（左右側縁用枠体）
１３ａ：折り返し部
１４：折り曲げ片
１５：側縁枠部（上下側縁用枠体）
１５ａ：折り返し部
３０：フレーム部
３１Ｌ：左支持体（傾斜支持体）
３１Ｒ：右支持体（傾斜支持体）
３３Ｌ：左段部（突出部形成用部分）
３３Ｒ：右段部（突出部形成用部分）
３５：支持基体
３６Ｌ：左支持基体
３６Ｒ：右支持基体
３８：凸状部
３９：連結部
５１ＦＬ：左前キャスター
５１ＦＲ：右前キャスター
５１ＲＬ：左後キャスター
５１ＲＲ：右後キャスター
５２：ストッパー操作部
７１：キャップ
８１：マグネット止着具
８２：ポケット
８２ａ：係合部
８２ｂ：側部
８２ｃ：前部
８２ｄ：底部
８２ｅ：後部（パネル面当接部）
８５：マグネットホワイトボード
９０：ジョイント
９１：嵌合壁部
９１ａ：透孔
９３：開口
１０１，１０２，１０３，１０４：掲示装置
２０１：比較例装置
Ｊ：ジョイント取付部位
【図８】
2006018122.tif 000003
【図１】
2006018122.tif 000004
【図２】
2006018122.tif 000005
【図３】
2006018122.tif 000006
【図４】
2006018122.tif 000007
【図５】
2006018122.tif 000008
【図６】
2006018122.tif 000009
【図７】
2006018122.tif 000010
【図９】
2006018122.tif 000011
【図１０】
2006018122.tif 000012
【図１１】
2006018122.tif 000013
【図１２】
2006018122.tif 000014
【図１３】
2006018122.tif 000015
【図１４】
2006018122.tif 000016
【図１５】
2006018122.tif 000017
【図１６】
2006018122.tif 000018
【図１７】
2006018122.tif 000019
【図１８】
2006018122.tif 000020
【図１９】
2006018122.tif 000021
【図２０】
2006018122.tif 000022
【図２１】
2006018122.tif 000023
【図２２】
2006018122.tif 000024
【図２３】
2006018122.tif 000025
【図２４】
2006018122.tif 000026
【図２５】
2006018122.tif 000027
【図２６】
2006018122.tif 000028
【図２７】
2006018122.tif 000029
【図２８】
2006018122.tif 000030